(57)【要約】【課題】  楽な姿勢で、且つ複数の育苗箱を容易に運搬でき、さらに育苗箱が作業中にズレたり抜け落ちたりすることを軽減できる育苗箱運搬具を提供すること。【解決手段】  本考案の育苗箱運搬具は、育苗箱を運搬する際に使用する運搬具であって、該運搬具は、コ字形のアーム部と、アーム部の上部に設置された把手部と、アーム部の先端に具備された、育苗箱の周縁凹部に係止される係止部と、該係止部に形成された滑止具とを備えることを特徴とする。  また前記アーム部の上部に、二体の運搬具を連結する第二把手部を備えた。【選択図】図１
0003205447.tif 000002
【実用新案登録請求の範囲】
【請求項１】
育苗箱を運搬する際に使用する運搬具であって、該運搬具は、コ字形のアーム部と、アーム部の上部に設置された把手部と、アーム部の先端に具備された、育苗箱の周縁凹部に係止される係止部と、該係止部に形成された滑止具と、を備えることを特徴とする育苗箱運搬具。
【請求項２】
前記滑止具は弾性部材である請求項１記載の育苗箱運搬具。
【請求項３】
前記滑止具は、係止具の内側に形成された凹凸部である請求項１記載の育苗箱運搬具。
【請求項４】
前記アーム部は、平面視において下方が幅広のテーパー状に形成されている請求項１乃至３のうちいずれか１項に記載の育苗箱運搬具。
【請求項５】
前記アーム部には、前方に傾斜する屈曲部が形成されている請求項１乃至４のうちいずれか１項に記載の育苗箱運搬具。
【請求項６】
前記アーム部の上部に、二体の運搬具を連結する第二把手部を備えた請求項１乃至５のうちいずれか１項に記載の育苗箱運搬具。
【考案の詳細な説明】
【技術分野】
【０００１】  本考案は、楽な姿勢で、且つ複数の育苗箱を容易に運搬することができる育苗箱運搬具に関する。
【背景技術】
【０００２】  一般的に、田植え機に使用する苗マットを育てるには、合成樹脂製の育苗箱が使用される。田植えの際は、温室に敷き並べられた育苗箱を運び出し、トラックなどの車両の荷台に積み込み田圃に運搬する。そしてこの育苗箱を田植え機にセットして田植え作業を行う。【０００３】  しかしながら、重い育苗箱を一枚ずつ温室から運び出し車両に積み込む作業は非常に重労働であるとともに、多くの作業時間を必要とした。また運搬中、育苗箱を不意に手から落として効率性を低下させるという問題も生じた。
【先行技術文献】
【特許文献】
【０００４】  そのため従来技術として、水稲栽培における田植え作業時田圃での苗箱の小運搬作業の効率化と運搬具の安定した自立状態を確保する水稲苗箱手提げ運搬具がある（例えば特許文献１参照）。
上掲特許文献１の水稲苗箱手提げ運搬具は、田植え機に供給する水稲苗箱を手運搬するため、立体段形状に組み立てた棚で、複数枚の水稲苗箱を格納できる、４本足つきの手提げ形からなることを特徴とする。また、４本の足の部分を土に刺さるべく、先端が幾分鋭利に加工されている。
【特許文献１】実用新案登録第３１１９６７６号公報
【考案の概要】
【考案が解決しようとする課題】
【０００５】  しかしながら、上掲特許文献１の水稲苗箱手提げ運搬具は、棚が立体段形状に組み立てられているため、全体形状が大掛かりになり製造面でコスト高に繋がる。また、不使用時、広い保管場所も確保しなければならないという欠点があった。【０００６】  そこで本考案は上記の点に鑑み、楽な姿勢で、且つ複数の育苗箱を容易に運搬でき、さらに育苗箱が作業中にズレたり抜け落ちたりすることを軽減できる育苗箱運搬具を提供することにある。
【解決を解決するための手段】
【０００７】  上記課題を解決するために本考案の育苗箱運搬具は、育苗箱を運搬する際に使用する運搬具であって、該運搬具は、コ字形のアーム部と、アーム部の上部に設置された把手部と、アーム部の先端に具備された、育苗箱の周縁凹部に係止される係止部と、該係止部に形成された滑止具と、を備えることを特徴とする。
【０００８】  また、前記滑止具は弾性部材である。
【０００９】  また前記滑止具は、係止具の内側に形成された凹凸部である。
【００１０】  また前記アーム部は、平面視において下方が幅広のテーパー状に形成されている。
【００１１】  また前記アーム部には、前方に傾斜する屈曲部が形成されている。
【００１２】  さらに前記アーム部の上部に、二体の運搬具を連結する第二把手部を備えた。
【考案の効果】
【００１３】  コ字形のアーム部と、アーム部の上部に設置された把手部と、アーム部の先端に具備された、育苗箱の周壁凹部に係止される係止部とを備えることにより、簡便な構造で製造コストを大幅に軽減できるとともに、広い保管場所を必要とすることがない。また、係止部に滑止具を形成したことで、作業中における育苗箱の落下を未然に防ぐことができる。
【００１４】  また前記アーム部の上部に、二体の運搬具を連結する第二把手部を備えたことにより、片手で育苗箱を運搬することができ、作業効率を高めることができる
【図面の簡単な説明】
【００１５】
【図１】本考案の育苗箱運搬具の斜視図である。
【図２】前記運搬具の正面図である。
【図３】前記運搬具の側面図である。
【図４】（ａ），（ｂ）は滑止具を示す。
【図５】本考案の育苗箱運搬具における使用状態の斜視図である。
【図６】前記運搬具の使用状態の断面図である。
【図７】他の好適例、本考案の育苗箱運搬具の側面図である。
【図８】図７に示す運搬具の使用状態の断面図である。
【考案を実施するための形態】
【００１６】  以下、本考案の育苗箱運搬具における実施の形態を図面に基づいて説明する。
本考案の育苗箱運搬具は、田植えの際に育苗箱を持ち運ぶ運搬具であって、特に、楽な姿勢で、且つ複数の育苗箱を容易に運搬でき、さらに育苗箱が作業中にズレたり抜け落ちたりすることを軽減できることを特徴とするものである。
【００１７】  図示する運搬具１は、育苗箱２０を運搬する際に使用する運搬具であって、コ字形のアーム部２と、アーム部２の上部３に設置された把手部１０と、アーム部２の先端に具備された、育苗箱２０の周縁凹部２１に係止される係止部５と、該係止部５に形成された滑止具７と、を備えることを特徴とする。
【００１８】  前記アーム部２は、重量のある育苗箱２０を運搬しても曲がったり折れたりすることがない強固な素材で形成されている。前記アーム部２の素材は特に限定されるものではないが、鉄材、特に防錆性に優れたステンレスで形成することが好ましい。
【００１９】  また前記アーム部２は、全体がコ字形を呈しており、手で運搬具１を把持する上部３と、上部３の両端から連設された一対のアーム体４とからなる。また一対のアーム体４の先端には係止部５が形成されている。
【００２０】  係止部５は湾曲の鈎形状を呈しており、使用の際は図６に示すように、係止部５の先方が育苗箱２０の周縁凹部２１に係止される状態で収容される。
【００２１】  把手部１０は、アーム部２の上部３に設置されるもので、使用の際に握り易いよう、合成樹脂にて形成されている。なお前記把手部１０は、図中、円柱状態に形成されているが、これに限らず、断面が板状であったり、下部を波型に形成したりすることができる。
【００２２】  また前記アーム部２の一対のアーム体４は、図２に示すように、平面視において下方が幅広のテーパー状に形成されていることが好ましい。このことにより、育苗箱２０を運搬した際の安定性が向上する。
【００２３】  また前記アーム体４には屈曲部６が形成されている。該屈曲部６はアーム体４の略中央部に形成されており、図３に示すように、側面視において前方に傾斜する状態に形成されている。そのことにより、図６に示すように、育苗箱２０を複数積層させて運搬することができる。
【００２４】  また他の好適例として、前記係止部５に滑止具７を形成することができる。滑止具７は、係止部５の先方が育苗箱２０の周縁凹部２１に収容された際、ズレたり外れたりすることを解消するものである。
【００２５】  前記滑止具７は、図４の（ａ）に示すように、前記係止部５の周囲に配設された弾性部材７ａにて形成されている。前記弾性部材７ａの一例として、シリコン等の素材が好適に使用される。また、発泡ウレタンや各種樹脂も使用できる。前記係止部５に弾性部材７ａを形成することで、育苗箱２０の周縁凹部２１に最適に収容されるとともに、作業中における育苗箱２０の落下を未然に防ぐことができる。
【００２６】  また前記滑止具７は、図４の（ｂ）に示すように凹凸部７ｂであってもよい。前記係止部５の内側に凹凸部７ｂを形成することで、係止部５の先方が育苗箱２０の周縁凹部２１に収容された際、ズレたり外れたりすることを解消できる。
【００２７】  また他の好適例として、図７に示すように、前記アーム部２の上部３に、二体の運搬具１，１´を連結する第二把手部１１を設置してもよい。アーム部２の上部３に第二把手部１１を遊動自在に設置することで、図７に示すように、二体のアーム部を連結することができ、図８に示すように、片手で育苗箱２０を持ち運ぶことが可能になる。そのため、運搬作業の際の利便性が一層向上できる。
【００２８】  次に、本考案の育苗箱運搬具の使用方法を説明する。
図５においては、育苗箱２０に運搬具１を装着した状態を示す。この際、一対の運搬具１を育苗箱２０の側面に配置させ、係止部５をそれぞれ育苗箱２０の長手方向の周縁凹部２１内に収容させる。なお、係止部５を育苗箱２０の短辺の周縁凹部２１内に収容させてもよい。
【００２９】  図６は、それぞれの把手部１０を持ち、育苗箱２０を持ち上げた状態を示す。このとき、アーム体４が長尺に形成されているため、育苗箱２０を持ち上げる際、腰を深く屈める必要がなく楽な姿勢で運搬作業を行うことができる。またアーム体４には屈曲部６が形成されているため、積層させた複数の育苗箱２０を運搬することも可能となる。
【００３０】  図８は、第二把手部１１を設置した運搬具１を用いてに育苗箱２０を持ち運ぶ状態を示す。運搬具１に第二把手部１１を設置したことにより、片手で育苗箱２０を持ち運ぶことができ、運搬作業の際の利便性が一層向上される。
【００３１】  上述の如く楽な姿勢で、且つ複数の育苗箱を容易に運搬でき、作業効率を向上させることができる。さらにコ字形のアーム部２と、アーム部２の上部３に設置された把手部１０と、アーム部２の先端に具備された、育苗箱２０の周壁凹部２１に係止される係止部５を備える構造により、製造コストの削減も実現できる。
【符号の説明】
【００３２】１    運搬具
２    アーム部
３    上部
４    アーム体
５    係止部
６    屈曲部
７    滑止具
７ａ  弾性部材
７ｂ  凹凸部
１０  把手部
１１  第二把手部
２０  育苗箱
２１  周縁凹部
【図１】
0003205447.tif 000003
【図２】
0003205447.tif 000004
【図３】
0003205447.tif 000005
【図４】
0003205447.tif 000006
【図５】
0003205447.tif 000007
【図６】
0003205447.tif 000008
【図７】
0003205447.tif 000009
【図８】
0003205447.tif 000010